(57)【要約】【課題】吸引部材を備える作業机または歯科技工机において、吸引部材の位置の切り替え操作を容易にする。【解決手段】歯科技工机は、ユーザが切削作業を行う作業台２と、切削作業により生じた粉塵を吸引する吸引部材１１と、吸引部材１１を作業台２の下方に収納された収納位置から作業台２に対向する対向位置まで移動させる支持部材１２、案内部材１３およびレール部材と、支持部材１２、案内部材１３およびレール部材により吸引部材１１を移動させるためにユーザが操作する取っ手１０２とを備える。【選択図】図３
2017087356.tif 000002
【特許請求の範囲】
【請求項１】
ユーザが切削作業を行う作業台と、
切削作業により生じた粉塵を吸引する吸引部材と、
前記吸引部材を、前記作業台の下方に収納された収納位置から当該作業台に対向する対向位置まで移動させる移動手段と、
前記移動手段により前記吸引部材を移動させるためにユーザが操作する操作部と
を備える作業机。
【請求項２】
前記吸引部材に接続され当該吸引部材にて吸引された粉塵を案内するホースと、
前記吸引部材の移動に連動して移動し、前記ホースと当該吸引部材との接続位置とは異なる位置で当該ホースを支持するホース支持部と
をさらに備えることを特徴とする請求項１に記載の作業机。
【請求項３】
前記移動手段は、前記操作部の操作により前記吸引部材を奥行き方向へ移動させる第１移動手段と、当該操作部の操作により当該吸引部材を上下方向へ移動させる第２移動手段とを備えることを特徴とする請求項１に記載の作業机。
【請求項４】
前記対向位置では、前記吸引部材にて粉塵が吸い込まれる吸い込み口の下端部の高さが、前記作業台の高さと等しいことを特徴とする請求項１に記載の作業机。
【請求項５】
前記吸引部材に取り付けられ、弾性を有する材料からなり、前記吸引部材を前記対向位置に移動させた場合に当該作業台に突き当てられる突き当て部材をさらに備えることを特徴とする請求項１に記載の作業机。
【請求項６】
前記作業台の下方から引き出し可能に設けられ内部に収納領域が形成された収納部と、
前記操作部が設けられ、前記吸引部材が前記収納位置にある場合に当該吸引部材を外部から被覆する被覆板とをさらに備え、
前記吸引部材が前記収納位置にある場合における前記操作部および前記被覆板の外観が、前記収納部の外観と等しいことを特徴とする請求項１に記載の作業机。
【請求項７】
ユーザが歯科用材料の切削作業を行う作業台と、
切削作業により生じた粉塵を吸引する吸引部とを備え、
前記吸引部は、ユーザが操作する操作部を有し、ユーザが当該操作部を前記作業台の手前側に向けて引き、上方に向けて持ち上げ、奥側に向けて押し込むことで、当該作業台に対向する対向位置に移動されることを特徴とする歯科技工机。
【発明の詳細な説明】
【技術分野】
【０００１】
本発明は、作業机および歯科技工机に関する。
【背景技術】
【０００２】
従来技術として、切削、研磨等の作業を行うために使用される作業机が存在する。このような作業机では、切削、研磨等の作業で生じた粉塵等を吸引するための吸引部材が設けられる場合がある。
例えば特許文献１には、義歯等を切削・研磨することにより発生した粉塵を吸引する集塵装置を備えた歯科技工机が開示されている。
【先行技術文献】
【特許文献】
【０００３】
【特許文献１】特開２０１４−０１４４６０号公報
【発明の概要】
【発明が解決しようとする課題】
【０００４】
ところで、吸引部材を備える作業机では、通常、吸引部材を作業机の予め定めた位置に設置して粉塵等の吸引を行う。また、吸引部材による吸引を行わない場合には、作業性等の観点から、吸引部材を机本体の内部に収納することが好ましい。
本発明は、吸引部材を備える作業机または歯科技工机において、吸引部材の位置の切り替え操作を容易にすることを目的とする。
【課題を解決するための手段】
【０００５】
かかる目的のもと、本発明が適用される作業机は、ユーザが切削作業を行う作業台と、切削作業により生じた粉塵を吸引する吸引部材と、前記吸引部材を、前記作業台の下方に収納された収納位置から当該作業台に対向する対向位置まで移動させる移動手段と、前記移動手段により前記吸引部材を移動させるためにユーザが操作する操作部とを備える。
前記作業机は、前記吸引部材に接続され当該吸引部材にて吸引された粉塵を案内するホースと、前記吸引部材の移動に連動して移動し、前記ホースと当該吸引部材との接続位置とは異なる位置で当該ホースを支持するホース支持部とをさらに備えることを特徴とすることができる。
また、前記移動手段は、前記操作部の操作により前記吸引部材を奥行き方向へ移動させる第１移動手段と、当該操作部の操作により当該吸引部材を上下方向へ移動させる第２移動手段とを備えることを特徴とすることができる。
さらに、前記対向位置では、前記吸引部材にて粉塵が吸い込まれる吸い込み口の下端部の高さが、前記作業台の高さと等しいことを特徴とすることができる。
さらにまた、前記吸引部材に取り付けられ、弾性を有する材料からなり、前記吸引部材を前記対向位置に移動させた場合に当該作業台に突き当てられる突き当て部材をさらに備えることを特徴とすることができる。
また、前記作業台の下方から引き出し可能に設けられ内部に収納領域が形成された収納部と、前記操作部が設けられ、前記吸引部材が前記収納位置にある場合に当該吸引部材を外部から被覆する被覆板とをさらに備え、前記吸引部材が前記収納位置にある場合における前記操作部および前記被覆板の外観が、前記収納部の外観と等しいことを特徴とすることができる。
【０００６】
さらに、他の観点から捉えると、本発明が適用される歯科技工机は、ユーザが歯科用材料の切削作業を行う作業台と、切削作業により生じた粉塵を吸引する吸引部とを備え、前記吸引部は、ユーザが操作する操作部を有し、ユーザが当該操作部を前記作業台の手前側に向けて引き、上方に向けて持ち上げ、奥側に向けて押し込むことで、当該作業台に対向する対向位置に移動されることを特徴とする。
【発明の効果】
【０００７】
本発明によれば、吸引部材を備える作業机または歯科技工机において、吸引部材の位置の切り替えを容易にすることができる。
【図面の簡単な説明】
【０００８】
【図１】本実施の形態が適用される歯科技工机の全体構成を示した斜視図である。
【図２】本実施の形態が適用される歯科技工机の全体構成を示した斜視図である。
【図３】バキュームマウスを示した図である。
【図４】本実施の形態が適用されるバキュームマウスの斜視図である。
【図５】案内部材を取り除いたバキュームマウスの斜視図である。
【図６】図４のバキュームマウスをＶＩ方向から見た側面図である。
【図７】（ａ）〜（ｂ）は、バキュームマウスの状態を切り替える際の動作を示した図である。
【図８】バキュームマウスの状態を切り替える際の動作を示した図である。
【図９】バキュームマウスの状態を切り替える際の動作を示した図である。
【図１０】実施の形態２が適用されるバキュームマウスの構成を説明するための図である。
【図１１】実施の形態２が適用されるバキュームマウスの構成を説明するための図である。
【図１２】実施の形態３が適用されるバキュームマウスの構成を説明するための図である。
【図１３】実施の形態３が適用されるバキュームマウスの構成を説明するための図である。
【図１４】（ａ）は、歯科技工机の正面図であり、（ｂ）は、歯科技工机の背面図である。
【図１５】（ａ）は、歯科技工机の平面図であり、（ｂ）は、歯科技工机の左側面図であり、（ｃ）は、歯科技工机の右側面図である。
【発明を実施するための形態】
【０００９】
［実施の形態１］
以下、添付図面を参照して、本発明の実施の形態について説明する。
図１および図２は、本実施の形態が適用される歯科技工机１の全体構成を示した斜視図であって、歯科技工机１の正面、平面および右側面を表す図である。
本実施の形態の歯科技工机１は、例えば石膏、合金、レジン等の歯科用材料に対して切削、研磨その他の加工を施す際に用いられる。
【００１０】
図１および図２に示すように、本実施の形態の歯科技工机１は、作業机の一例であって、ユーザが切削・研磨作業等の作業を行うための作業台２と、作業台２の下方に設けられ作業台２を支持する机本体部３とを備えている。また、歯科技工机１は、歯科用材料の切削・研磨作業に用いられるハンドピース４と、ハンドピース４の駆動を制御する制御部５と、制御部５によるハンドピース４の駆動のオン／オフを切り替えるためのフットコントローラ６とを備えている。さらに、歯科技工机１は、切削・研磨作業により生じた削りかす等の粉塵を吸引するための吸引部の一例であるバキュームマウス１０と、バキュームマウス１０の駆動のオン／オフ等を切り替えるためのバキュームスイッチ７とを備えている。さらにまた、歯科技工机１は、複数の引き出しにより構成され歯科技工机１での作業に用いる道具や材料等を収納する収納部８を備えている。
【００１１】
詳細については後述するが、本実施の形態の歯科技工机１は、図１に示すようにバキュームマウス１０が机本体部３から引き出された状態と、図２に示すようにバキュームマウス１０が机本体部３に収納された状態とに切り替え可能になっている。以下の説明において、図１に示すようにバキュームマウス１０が机本体部３から引き出され作業台２に対向する状態を引き出し状態（対向位置）と呼び、図２に示すようにバキュームマウス１０が机本体部３に収納された状態を収納状態（収納位置）と呼ぶ場合がある。
【００１２】
また、以下の説明において、歯科技工机１のうちバキュームマウス１０が設けられユーザが対峙して切削・研磨作業等を行う側（図１および図２における左下側）を、歯科技工机１の手前側と呼び、歯科技工机１のうちバキュームマウス１０が設けられる側とは反対側（図１における右上側）を、歯科技工机１の奥側と呼ぶ場合がある。さらに、歯科技工机１の手前側から奥側へ向かう方向を、歯科技工机１の奥行き方向と呼ぶ場合がある。
【００１３】
作業台２は、全体として長方形状を有している。本実施の形態の歯科技工机１では、作業台２の手前側の端部が、机本体部３よりも手前側にはみ出た状態となっている。これにより、切削・研磨作業で生じた粉塵等が、収納部８の内部に入り込むことが抑制される。
また、作業台２には、貫通孔（不図示）が設けられており、この貫通孔から作業台２上にハンドピース４が引き出されている。
【００１４】
ハンドピース４は、例えば歯科用材料の切削・研磨を行う刃部（不図示）と、刃部を回転させるモータ部（不図示）とを備えている。ハンドピース４による切削・研磨作業を行う際には、モータ部によって刃部が回転される。そして、回転する刃部を歯科用材料に接触させることにより、歯科用材料が切削・研磨される。
【００１５】
フットコントローラ６およびバキュームスイッチ７は、ハンドピース４やバキュームマウス１０の動作を制御するために用いられる。具体的には、フットコントローラ６およびバキュームスイッチ７は、ユーザによる操作に基づいて制御部５に電気信号を出力する。そして、制御部５は、フットコントローラ６またはバキュームスイッチ７からの電気信号に基づいて、ハンドピース４またはバキュームマウス１０の動作を制御する。
【００１６】
ここで、本実施の形態の歯科技工机１では、バキュームスイッチ７により、ハンドピース４の刃部の回転動作とバキュームマウス１０による吸引動作とが連動した連動状態と、これらの動作が連動しない非連動状態とに切り替え可能に構成されている。
具体的に説明すると、本実施の形態の歯科技工机１では、バキュームスイッチ７により連動状態が設定された場合には、フットコントローラ６を操作することにより、ハンドピース４とバキュームマウス１０とが連動して作動する。また、バキュームスイッチ７により非連動状態が設定された場合には、フットコントローラ６を操作した場合であっても、ハンドピース４のみが作動し、バキュームマウス１０は作動しない。
【００１７】
複数の収納部８は、物体を収納可能な箱状の形状を有しており、上述したように、机本体部３から引き出し可能に構成される。また、それぞれの収納部８は、図１に示すように、収納部８の手前側に設けられる板状の収納前板８１と、収納前板８１から手前側に突出して設けられ、収納部８を机本体部３から引き出す際にユーザにより把持される収納取っ手８２とを備えている。
【００１８】
続いて、本実施の形態が適用されるバキュームマウス１０の構成について詳細に説明する。図３は、本実施の形態が適用されるバキュームマウス１０を示した図であって、バキュームマウス１０を作業台２側から見た図である。また、図４は、本実施の形態が適用されるバキュームマウス１０の斜視図であり、図５は、図４から後述する案内部材１３を取り除いたバキュームマウス１０の斜視図である。また、図６は、図４のバキュームマウス１０をＶＩ方向から見た側面図である。なお、図３、図４〜図６では、後述する防塵板１０３を取り外した状態のバキュームマウス１０を示している。また、図４では、後述するホース１０５の記載を省略している。
【００１９】
本実施の形態のバキュームマウス１０は、切削・研磨作業等により生じた削りかす等の粉塵を吸引する吸引部材１１と、吸引部材１１を支持する支持部材１２と、バキュームマウス１０の収納状態と引き出し状態とを切り替える際に支持部材１２を案内する案内部材１３と、支持部材１２が案内部材１３に案内されるのに伴って支持部材１２が奥行き方向に移動するレール部材１４とを備えている。
【００２０】
また、本実施の形態のバキュームマウス１０は、支持部材１２の手前側に取り付けられ、収納状態において吸引部材１１、支持部材１２、案内部材１３、レール部材１４および後述するホース１０５を歯科技工机１の外部から被覆する被覆板の一例としての前板１０１を備えている。さらに、バキュームマウス１０は、前板１０１に取り付けられ収納状態と引き出し状態とを切り替える際にユーザによって把持され操作される操作部の一例としての取っ手１０２を備えている。さらにまた、バキュームマウス１０は、切削・研磨作業を行う際に削りかす等の粉塵がユーザ側に飛散することを抑制するための防塵板１０３と、防塵板１０３が挿入されて取り付けられる防塵板取付部１０４とを備えている。さらにまた、バキュームマウス１０は、吸引部材１１に接続され吸引部材１１から吸い込まれた粉塵や空気等が通過する管状のホース１０５を備えている。
【００２１】
本実施の形態のバキュームマウス１０では、前板１０１および取っ手１０２が、収納部８における収納前板８１および収納取っ手８２とそれぞれ同じデザインとなっている。具体的には、バキュームマウス１０の前板１０１は、収納部８の収納前板８１と同様の材質および色彩を有している。また、バキュームマウス１０の取っ手１０２は、収納部８の収納取っ手８２と同様の材質、色彩および形状を有している。これにより、図２に示すように、バキュームマウス１０を収納状態とした場合に、バキュームマウス１０の外観が、収納部８の外観と同じになる。言い換えると、収納状態では、バキュームマウス１０と収納部８とが見分けがつきにくくなり、本構成を採用しない場合と比較して、歯科技工机１の外観が良好となる。
【００２２】
防塵板１０３は、例えば透光性を有する板状の材料により構成される。本実施の形態のバキュームマウス１０では、防塵板１０３は、防塵板取付部１０４から取り外し可能に構成されている。具体的には、防塵板１０３を使用する際には、防塵板取付部１０４に対して防塵板１０３を上方から挿入することで、防塵板取付部１０４に防塵板１０３を設置する。また、防塵板１０３を使用しない場合やバキュームマウス１０を収納状態に切り替える場合には、防塵板取付部１０４から防塵板１０３を引き抜くことで、防塵板取付部１０４から防塵板１０３を取り外すことができる。
本実施の形態の防塵板１０３は、図１に示すように、奥行き方向および上方に向かって傾斜した状態で、防塵板取付部１０４に取り付けられる。また、本実施の形態の防塵板１０３は、奥行き方向と直交する方向の長さ（幅）が、吸引部材１１の幅よりも大きくなっている。これにより、吸引部材１１に吸引される粉塵等が舞い上がった場合等に、防塵板１０３によって粉塵が防がれやすくなり、ユーザに粉塵がかかることが抑制される。
【００２３】
ホース１０５は、蛇腹状の管形状を有しており、一方の端部が吸引部材１１の後述するホース取付部１１３に接続され、他方の端部がバキュームマウス１０の外部に設けられた集塵機（不図示）に接続される。また、ホース１０５は、バキュームマウス１０を収納状態と引き出し状態とに切り替える動作に応じて、伸縮可能に構成されている。
【００２４】
本実施の形態の吸引部材１１は、全体として四角筒状の形状を有している。そして、吸引部材１１は、粉塵等を吸い込む吸い込み口１１１と、吸い込み口１１１から吸い込まれた粉塵が通過する吸引路１１２と、吸引路１１２に接続されホース１０５が取り付けられるホース取付部１１３と、を備えている。
【００２５】
吸い込み口１１１は、四角形状を有しており、図３に示すように、引き出し状態において作業台２に対向するように、鉛直上方および奥行き方向に向けて開口している。具体的には、本実施の形態の吸い込み口１１１は、引き出し状態において、奥行き方向に向かうに従い下方に傾斜した状態で設けられている。
また、本実施の形態の吸い込み口１１１には、複数の穴が形成された網状部材１１１ａが取り付けられている。この網状部材１１１ａによって、予め定めた大きさ以上の物体が吸い込み口１１１から吸引されることが抑制され、吸引部材１１の詰まりや吸引効率の低下が抑制される。網状部材１１１ａは、吸い込み口１１１に対してねじ止め等により取り付けられており、必要に応じて取り外しができるようになっている。このような構成を採用することで、網状部材１１１ａを取り外して網状部材１１１ａや吸引部材１１の内部を洗浄することが可能になり、バキュームマウス１０を清潔に保つことができる。
【００２６】
本実施の形態の吸引部材１１では、図３に示すように、引き出し状態において、吸い込み口１１１の下端部の高さが、作業台２の上面の高さと略等しくなっている。このような構成を採用することで、例えば作業台２の上に粉塵等が落ちた場合に、作業台２上にて吸い込み口１１１の前に粉塵等を集めることで、吸引部材１１により粉塵等を吸引させやすくなる。なお、本実施の形態において、「吸い込み口１１１の下端部の高さと、作業台２の上面の高さとが略等しい」とは、作業台２上において、粉塵を吸いこみ口１１１の前に集めた場合に、吸い込み口１１１を介して粉塵を吸引することが可能な高さであることを意味する。
【００２７】
吸引路１１２は、吸い込み口１１１から下方に向かって延び内部に長方形状の空間が形成された四角筒状の形状を有している。そして、吸引路１１２は、吸い込み口１１１から吸引された粉塵や気体をホース１０５に向けて案内する。
また、ホース取付部１１３は、円筒形状を有しており、吸引路１１２の下方に接続され、ホース１０５の一方の端部が取り付けられる。
【００２８】
支持部材１２は、吸引部材１１を囲むように設けられ、吸引部材１１を外側から支持する。支持部材１２は、吸引部材１１を支持する吸引支持部１２１と、吸引支持部１２１に取り付けられ引き出し状態において作業台２に突き当てられる突き当て部材１２２と、吸引支持部１２１の下方から歯科技工机１の奥側に向かって延びる２つの延伸部１２３とを備えている。また、支持部材１２は、それぞれの延伸部１２３に取り付けられ案内部材１３の後述する切欠き１３１を移動する切欠き移動部１２４と、それぞれの延伸部１２３に取り付けられレール部材１４を移動するレール移動部１２６とを備えている。さらに、支持部材１２は、それぞれの延伸部１２３の間に設けられ、ホース１０５を保持するホース支持部の一例としてのホース保持部材１２５を備えている。
【００２９】
本実施の形態の支持部材１２は、吸引支持部１２１および延伸部１２３が、例えば１つの板金により一体として形成されている。
吸引支持部１２１は、吸引部材１１における吸引路１１２の外周を囲むように、略コの字状の形状を有し、吸引路１１２を歯科技工机１の手前側および側方側から支持する。
【００３０】
突き当て部材１２２は、ゴムや樹脂等の弾性を有する部材により構成され、吸引支持部１２１のうち歯科技工机１の奥側を向く縁に沿って取り付けられている。そして、突き当て部材１２２は、図３に示すように、バキュームマウス１０を引き出し状態とした場合に、作業台２の手前側の端部に突き当てられる。これにより、作業台２と吸引支持部１２１とが直接、衝突することによる異音や傷等の発生を抑制する。また、突き当て部材１２２が作業台２に突き当てられることで、バキュームマウス１０と作業台２との間に隙間が生じにくくなる。このため、作業台２の上に落ちた粉塵等をバキュームマウス１０に吸引させやすくなる。
【００３１】
延伸部１２３は、吸引支持部１２１から連続する板状の部材により構成され、吸引支持部１２１のうち吸引部材１１を挟んで対向する側方の面の下方から歯科技工机１の奥行き方向に延びる。また、図５に示すように、それぞれの延伸部１２３は、吸引部材１１に接続されるホース１０５を挟んで対向するように設けられている。
【００３２】
切欠き移動部１２４は、それぞれの延伸部１２３に取り付けられている。具体的には、切欠き移動部１２４は、それぞれの延伸部１２３における奥行き方向中央部において、それぞれの延伸部１２３の外方側に突出するように設けられている。また、それぞれの切欠き移動部１２４は、案内部材１３の後述する切欠き１３１内に移動可能に挿入されている。そして、切欠き移動部１２４は、ユーザによるバキュームマウス１０を押し込む操作または引き出す操作に伴って、切欠き１３１に沿って移動する。
【００３３】
ホース保持部材１２５は、図５に示すように、全体として板状の形状を有するとともに、中央部にホース１０５を支持するための円弧状の窪み１２５ａが形成されている。また、ホース保持部材１２５は、延伸部１２３に取り付けられている。具体的には、ホース保持部材１２５は、ホース１０５を挟んで対向する２つの延伸部１２３の間であって、それぞれの延伸部１２３に取り付けられる切欠き移動部１２４の間に設けられる。言い換えると、本実施の形態のバキュームマウス１０では、２つの切欠き移動部１２４とホース保持部材１２５とが、奥行き方向および鉛直方向に直交する方向に並んで設けられている。
【００３４】
本実施の形態では、ホース保持部材１２５によりホース１０５を保持することで、ホース１０５が下方に垂れ下がることが抑制され、ホースの折れ曲がりや絡まりが抑制される。
また、ホース保持部材１２５は、ユーザによるバキュームマウス１０を押し込む操作または引き出す操作により切欠き移動部１２４が切欠き１３１に沿って移動するのに連動して、移動する。これにより、ホース保持部材１２５に保持されるホース１０５がバキュームマウス１０を押し込む操作または引き出す操作に連動して奥行き方向に移動する。このため、バキュームマウス１０の操作に連動してホース１０５が移動しない場合と比較して、バキュームマウス１０の状態を切り替える際のホース１０５の折れ曲がりや絡まりが抑制される。また、バキュームマウス１０の操作を円滑に行うことができる。
【００３５】
レール移動部１２６は、それぞれの延伸部１２３に取り付けられている。具体的には、レール移動部１２６は、それぞれの延伸部１２３における奥側の端部において、それぞれの延伸部１２３の内側に突出するとともに、延伸部１２３に対して回転可能に取り付けられている。また、それぞれのレール移動部１２６は、対向するそれぞれのレール部材１４に嵌め合わされている。そして、レール移動部１２６は、ユーザによるバキュームマウス１０を押し込む操作または引き出す操作に伴って、奥行き方向に延びるレール部材１４に沿って移動する。
本実施の形態のレール移動部１２６は、例えば、オイルレスのベアリングにより構成される。レール移動部１２６としてオイルレスのベアリングを用いることで、切削・研磨作業により生じた粉塵がオイルによってレール移動部１２６に付着することが抑制され、レール移動部１２６の移動が妨げられることが抑制される。
【００３６】
案内部材１３は、支持部材１２およびレール部材１４を上方および側方から囲むように設けられる。案内部材１３は、奥行き方向から見た場合に略コの字形状を有しており、支持部材１２の延伸部１２３に側方から対向する２つの側壁１３ａと、側壁１３ａの上辺同士を接続する上壁１３ｂとを有している。本実施の形態では、案内部材１３の上壁１３ｂが机本体部３に取り付けられることで、バキュームマウス１０が歯科技工机１に対して固定されている。
【００３７】
また、案内部材１３のそれぞれの側壁１３ａには、支持部材１２の切欠き移動部１２４が挿入され、ユーザによるバキュームマウス１０を押し込む操作または引き出す操作に伴って切欠き移動部１２４が移動する切欠き１３１が形成されている。
【００３８】
切欠き１３１は、案内部材１３（側壁１３ａ）の奥側から手前側に向かって延びる直線部１３１ａと、直線部１３１ａの手前側の端部から奥行き方向に向かって湾曲する湾曲部１３１ｂとを有している。さらに、切欠き１３１は、直線部１３１ａの奥側の端部に接続され、直線部１３１ａの幅よりも径が大きい円状部１３１ｃを有している。
ここで、湾曲部１３１ｂは、図４に示すように、直線部１３１の手前側の端部から奥行き方向に向かうに従い上方に延びた後、奥行き方向に向かうに従い下方に延びるように湾曲した形状を有している。
【００３９】
レール部材１４は、図４および図５に示すように、２つ設けられており、それぞれが奥行き方向に延びる長尺板状の形状を有している。また、それぞれのレール部材１４は、支持部材１２における延伸部１２３の内側の面に対向するように、案内部材１３の側壁１３ａに取り付けられている。そして、それぞれのレール部材１４には、それぞれの延伸部１２３に取り付けられているレール移動部１２６が、奥行き方向に移動可能に嵌め込まれている。
【００４０】
続いて、歯科技工机１においてバキュームマウス１０の状態を切り替える際の各部の動作について説明する。本実施の形態の歯科技工机１では、上述したように、バキュームマウス１０が机本体部３に収納された収納状態（図２参照）と、バキュームマウス１０が机本体部３から引き出された引き出し状態（図１参照）とを切り替えることが可能に構成されている。なお、本実施の形態のバキュームマウス１０においては、支持部材１２、案内部材１３およびレール部材１４が移動手段に相当する。また、本実施の形態のバキュームマウス１０においては、案内部材１３の切欠き１３１における直線部１３１ａおよびレール部材１４が第１移動手段に相当し、案内部材１３の切欠き１３１における湾曲部１３１ｂが第２移動手段に相当する。
【００４１】
図７（ａ）〜（ｂ）、図８および図９は、バキュームマウス１０の状態を切り替える際の動作を示した図である。ここで、図７（ａ）は、収納状態のバキュームマウス１０を示した側面図であり、図７（ｂ）および図８は、収納状態と引き出し状態とを切り替えている途中のバキュームマウス１０を示した側面図であり、図９は、引き出し状態のバキュームマウス１０を示した側面図である。なお、図７（ａ）〜（ｂ）、図８および図９においては、ホース１０５の記載を省略している。
【００４２】
ここでは、図７（ａ）〜（ｂ）、図８、図９および上述した図１、図２等を参照して、バキュームマウス１０を収納状態から引き出し状態へ切り替える際の動作について説明する。
収納状態のバキュームマウス１０では、図７（ａ）に示すように、吸引部材１１、支持部材１２、案内部材１３およびレール部材１４が、作業台２の下方に収納されている。そして、収納状態のバキュームマウス１０では、支持部材１２の切欠き移動部１２４が、案内部材１３の切欠き１３１における円状部１３１ｃに位置している。さらに、収納状態のバキュームマウス１０では、支持部材１２のレール移動部１２６が、レール部材１４の奥側に位置している。
【００４３】
バキュームマウス１０を収納状態から引き出し状態へ切り替える際には、まず、取っ手１０２を把持し、図７（ａ）にて破線矢印で示すように、歯科技工机１の手前側へ引く。これにより、吸引部材１１および支持部材１２を、作業台２、案内部材１３およびレール部材１４に対して手前側に移動させる。
この際、図７（ａ）に示すように、支持部材１２の切欠き移動部１２４が、案内部材１３に形成された切欠き１３１の円状部１３１ｃから直線部１３１ａに移った後、直線部１３１ａを奥側（図中右側）から手前側（図中左側）に移動する。また、図７（ａ）に示すように、支持部材１２のレール移動部１２６が、レール部材１４に沿って奥側（図中右側）から手前側（図中左側）に移動する。そして、吸引部材１１が、机本体部３（図１参照）から引き出されて、作業台２の手前側に露出する。
【００４４】
引き続き、切欠き移動部１２４が直線部１３１ａの手前側の端部に到達するとともにレール移動部１２６がレール部材１４の手前側の端部に到達するまで、取っ手１０２を手前側に引く。本実施の形態では、図７（ｂ）に示すように、切欠き移動部１２４が直線部１３１ａの手前側の端部に到達しレール移動部１２６がレール部材１４の手前側の端部に到達すると、取っ手１０２をさらに手前側に引くことができなくなる。
【００４５】
続いて、図７（ｂ）にて破線矢印で示すように、取っ手１０２を上方に引き上げる。これにより、図７（ｂ）に示すように、切欠き移動部１２４が、直線部１３１ａの手前側の端部から湾曲部１３１ｂを上方且つ奥行き方向に沿って移動する。また、図７（ｂ）に示すように、レール移動部１２６は、レール部材１４を奥行き方向に移動する。言い換えると、レール移動部１２６は、高さを変動させずに奥行き方向に移動する。
このため、支持部材１２の延伸部１２３は、レール移動部１２６が取り付けられる奥側の端部を支点として、図中時計方向に回動する。そして、図７（ｂ）および図８に示すように、延伸部１２３の手前側の端部が上方に持ち上がることで、支持部材１２に支持される吸引部材１１が上方に移動するとともに、吸引部材１１の吸い込み口１１１が作業台２を向くように角度が変化する。
【００４６】
続いて、図８にて破線矢印で示すように、取っ手１０２を奥行き方向に押す。これにより、図８および図９に示すように、切欠き移動部１２４が、湾曲部１３１ｂを奥行き方向に移動するとともに、レール移動部１２６が、レール部材１４を奥行き方向に移動する。この結果、図８および図９に示すように、支持部材１２および支持部材１２に支持される吸引部材１１が、奥行き方向に移動する。そして、支持部材１２の突き当て部材１２２が、作業台２の手前側の側面に突き当たるとともに、吸引部材１１の吸い込み口１１１（網状部材１１１ａ）が、作業台２に対向した状態となる。すなわち、バキュームマウス１０が、机本体部３から引き出された引き出し状態となる。
【００４７】
続いて、バキュームマウス１０を引き出し状態から収納状態へ切り替える際の動作について説明する。
図９に示すように、引き出し状態のバキュームマウス１０では、吸引部材１１が作業台２の手前側に位置している。また、引き出し状態のバキュームマウス１０では、前板１０１が、奥側から手前側に向かうに従い下方に下がるように傾斜した状態となっている。そして、引き出し状態のバキュームマウス１０では、取っ手１０２が、前板１０１から、歯科技工机１の手前側且つ上方に向かって斜めに突出している。
さらに、引き出し状態のバキュームマウス１０では、支持部材１２の切欠き移動部１２４が、切欠き１３１における湾曲部１３１ｂの奥側の端部に位置している。
【００４８】
バキュームマウス１０を引き出し状態から収納状態へ切り替える際には、上述したバキュームマウス１０を収納状態から引き出し状態へ切り替える際の動作を逆の順序で行う。なお、バキュームマウス１０を引き出し状態から収納状態へ切り替える際には、防塵板１０３（図１参照）が取り付けられている場合には、まず、防塵板１０３を防塵板取付部１０４（図３参照）から取り外す。
【００４９】
続いて、取っ手１０２を把持し、図９および図８にて一点鎖線矢印で示すように、上方へ持ち上げながら歯科技工机１の手前側へ引く。これにより、吸引部材１１および支持部材１２を上方へ持ち上げながら歯科技工机１の手前側へ移動させる。
ここで、上述したように、本実施の形態のバキュームマウス１０では、引き出し状態において、取っ手１０２が歯科技工机１の手前側且つ上方に向かって斜めに突出している。これにより、バキュームマウス１０を引き出し状態から収納状態へ切り替える際に、取っ手１０２の突出する方向と取っ手１０２を引く方向とが同じ方向となっているため、取っ手１０２を操作しやすくなっている。
【００５０】
図９および図８に示すように、取っ手１０２を手前側且つ上方に引くことで、支持部材１２の切欠き移動部１２４が、湾曲部１３１ｂに沿って手前側に向けて移動する。具体的には、切欠き移動部１２４が、切欠き１３１における湾曲部１３１ｂの奥側の端部から、湾曲部１３１ｂに沿って上方且つ手前側へ移動した後、下方且つ手前側へ移動し、湾曲部１３１ｂ（直線部１３１ａ）の手前側の端部に到達する。また、支持部材１２のレール移動部１２６が、レール部材１４を、奥側から手前側へ向かって移動する。
これにより、支持部材１２に支持される吸引部材１１が、作業台２に対向した位置から手前側へ移動した後、図７（ｂ）に示すように、作業台２から下方へずれた位置に移動する。
【００５１】
続いて、図７（ｂ）にて一点鎖線矢印示すように、取っ手１０２を把持しながら歯科技工机１の奥側へ押し込む。これにより、切欠き移動部１２４が、直線部１３１ａの手前側の端部から奥行き方向に沿って移動し、図７（ａ）に示すように、円状部１３１ｃへ到達する。また、レール移動部１２６が、レール部材１４の手前側の端部から奥行き方向に沿って移動する。
これにより、図７（ａ）に示すように、吸引部材１１が作業台２の下方に収納される。また、図７（ａ）および図２に示すように、吸引部材１１、支持部材１２、案内部材１３およびレール部材１４が前板１０１に被覆されて、外部から視認できない状態となる。言い換えると、バキュームマウス１０が図２に示すような収納状態となる。
【００５２】
ここで、上述したように、円状部１３１ｃの径は、直線部１３１ａの幅よりも大径に形成されている。そして、収納状態においては、バキュームマウス１０自身の重量によって、切欠き移動部１２４は、円状部１３１ｃの下縁に載った状態となっている。このため、収納状態のバキュームマウス１０では、取っ手１０２を引き出す操作をしない場合には、切欠き移動部１２４が円状部１３１ｃから直線部１３１ａに移動しにくくなっている。これにより、例えば歯科技工机１に衝撃が生じた場合等に、意図せずバキュームマウス１０が引き出されることが抑制される。
【００５３】
また、切欠き移動部１２４が直線部１３１ａから円状部１３１ｃへ移動する際に生じる振動によりバキュームマウス１０が収納状態となったことをユーザが把握することができる。これにより、例えば取っ手１０２を必要以上に押し込むことが抑制され、バキュームマウス１０に過剰な負荷がかかることが抑制される。
【００５４】
以上説明したように、本実施の形態の歯科技工机１では、取っ手１０２を把持して操作することにより、バキュームマウス１０の状態を、机本体部３に収納された収納状態と、机本体部３から引き出された引き出し状態とに切り替えることができる。言い換えると、本実施の形態の歯科技工机１では、取っ手１０２を手前側に引き、続いて上方に持ち上げた後、奥行き方向に押し込むという簡易な操作により、収納状態のバキュームマウス１０を引き出し状態に切り替えることができる。また、本実施の形態の歯科技工机１では、取っ手１０２を上方に持ち上げながら手前側に引いた後、奥行き方向に押し込むという簡易な操作により、引き出し状態のバキュームマウス１０を収納状態に切り替えることができる。
【００５５】
［実施の形態２］
実施の形態１では、切欠き移動部１２４を案内部材１３の切欠き１３１に沿って移動させるとともに、レール移動部１２６をレール部材１４に沿って移動させることで、バキュームマウス１０を、収納状態と引き出し状態とに切り替える構成とした。これに対し、実施の形態２では、後述するように、吸引部材１１および支持部材１２を押し上げるばね部材１６により、バキュームマウス１０を、収納状態と引き出し状態とに切り替える構成としている。
以下、本発明の実施の形態２について詳細に説明する。図１０および図１１は、実施の形態２が適用されるバキュームマウス１０の構成を説明するための図である。図１０は、収納状態のバキュームマウス１０および作業台２を示しており、図１１は、引き出し状態のバキュームマウス１０および作業台２を示している。なお、実施の形態１と同様の構成については同様の符号を用い、ここでは詳細な説明は省略する。
【００５６】
図１０および図１１に示すように、実施の形態２のバキュームマウス１０は、吸引部材１１と、支持部材１２と、レール部材１４とを備えている。さらに、実施の形態２のバキュームマウス１０は、引き出し状態において支持部材１２および支持部材１２に支持される吸引部材１１を上方に押し上げるためのばね部材１６を備えている。ここで、本実施の形態では、レール部材１４が第１移動手段に相当し、ばね部材１６が第２移動手段に相当する。
なお、実施の形態２のバキュームマウス１０は、実施の形態１とは異なり、案内部材１３（図３参照）を備えていない。また、実施の形態２のバキュームマウス１０は、レール部材１４を介して、歯科技工机１（図１参照）の机本体部３に取り付けられている。
【００５７】
本実施の形態の支持部材１２は、吸引支持部１２１と、突き当て部材１２２と、延伸部１２３と、ホース保持部材１２５と、レール移動部１２６とを備えている。さらに、本実施の形態の支持部材１２は、引き出し状態においてばね部材１６に押圧される被押圧部１２７を備えている。支持部材１２の被押圧部１２７は、延伸部１２３から下方（作業台２とは反対方向）に突出するように設けられている。そして、被押圧部１２７は、引き出し状態においてばね部材１６に押圧されることで、支持部材１２を鉛直上方へ押し上げる。
【００５８】
支持部材１２のレール移動部１２６は、延伸部１２３における奥側の端部に設けられ、延伸部１２３に対して支点１２６ａを中心に回転可能に取り付けられている。また、レール移動部１２６は、レール部材１４に対して奥行き方向に移動可能に挿入されている。
【００５９】
ばね部材１６は、図１０および図１１に示すように、一方の端部１６ａが机本体部３に固定され、他方の端部１６ｂが自由端となっており支持部材１２により押圧された状態となっている。そして、本実施の形態のバキュームマウス１０では、ばね部材１６の弾性復元力によって、吸引部材１１および支持部材１２が、図中上下方向に移動可能に構成されている。
【００６０】
収納状態のバキュームマウス１０では、図１０に示すように、作業台２の裏面によって前板１０１が鉛直下方に押されることで、前板１０１に取り付けられる支持部材１２および支持部材１２に支持される吸引部材１１に対して鉛直下方に向かう力がかかっている。また、収納状態のバキュームマウス１０では、ばね部材１６の上方に、支持部材１２の延伸部１２３における手前側の端部が位置している。これにより、図１０に示すように、収納状態のバキュームマウス１０では、ばね部材１６が、支持部材１２の延伸部１２３によって鉛直下方に押され、縮んだ状態となっている。
言い換えると、収納状態のバキュームマウス１０では、作業台２の裏面によって前板１０１が鉛直下方に押されることで、吸引部材１１および支持部材１２の上方への移動が抑止されている。
【００６１】
バキュームマウス１０を収納状態から引き出し状態に切り替える際には、実施の形態１と同様に、取っ手１０２を把持し、図１０にて破線矢印で示すように、手前側に引く。これにより、レール移動部１２６が、レール部材１４を奥側から手前側に移動する。
また、支持部材１２のレール移動部１２６が手前側に移動するのに伴って、支持部材１２に取り付けられる前板１０１が手前側に移動する。前板１０１が作業台２よりも手前側まで移動すると、前板１０１が作業台２によって下方に押されなくなる。すなわち、前板１０１が作業台２よりも手前側まで移動すると、前板１０１を介して支持部材１２および吸引部材１１にかかる鉛直下方に向かう力が解除される。
【００６２】
そして、支持部材１２の被押圧部１２７がばね部材１６により押されることで、被押圧部１２７を介して延伸部１２３が上方へ押し上げられる。これにより、図１０にて実線矢印で示すように、支持部材１２が、レール移動部１２６の支点１２６ａを中心として図中時計方向に回転する。
この結果、図１１に示すように、支持部材１２に支持される吸引部材１１が上方に押し上げられる。これにより、吸引部材１１の吸い込み口１１１が、作業台２に対向した状態となる。また、支持部材１２の突き当て部材１２２が、作業台２の手前側の側面に突き当たる。言い換えると、バキュームマウス１０が机本体部３（図１参照）から引き出された引き出し状態となる。
【００６３】
本実施の形態のバキュームマウス１０を引き出し状態から収納状態へ切り替える際には、上述したバキュームマウス１０を収納状態から引き出し状態へ切り替える際の動作を逆の順序で行えばよい。
具体的に説明すると、図１１にて一点鎖線矢印で示すように、取っ手１０２を把持し下方へ押し下げる。これにより、支持部材１２の被押圧部１２７を介してばね部材１６が下方へ押圧されて収縮する。そして、支持部材１２に支持される吸引部材１１が、作業台２から下方へずれた位置に移動する。
【００６４】
続いて、取っ手１０２を把持しながら歯科技工机１の奥側へ押し込む。これにより、レール移動部１２６が、レール部材１４の手前側の端部から奥行き方向に沿って移動する。また、支持部材１２が、被押圧部１２７を介してばね部材１６を押圧した状態を維持したまま、奥行き方向に移動する。これにより、吸引部材１１が作業台２の下方に収納される。そして、図１０に示すように、吸引部材１１、支持部材１２、レール部材１４およびばね部材１６が前板１０１に被覆された収納状態となる。
【００６５】
［実施の形態３］
続いて、本発明の実施の形態３について説明する。なお、実施の形態１と同様の構成については同様の符号を用い、ここでは詳細な説明は省略する。
図１２および図１３は、実施の形態３が適用されるバキュームマウス１０の構成を説明するための図である。ここで、図１２は、収納状態のバキュームマウス１０および作業台２を示しており、図１３は、引き出し状態のバキュームマウス１０および作業台２を示している。
【００６６】
図１２および図１３に示すように、実施の形態３のバキュームマウス１０は、吸引部材１１と、支持部材１２と、レール部材１４とを備えている。本実施の形態のバキュームマウス１０では、レール部材１４の奥側の端部が、支点１４ａを中心に回動可能に構成されている。さらに、実施の形態３のバキュームマウス１０は、引き出し状態において吸引部材１１を作業台２の手前に固定するための固定部材１８を備えている。この例では、固定部材１８は、吸引部材１１における吸引路１１２の奥側の面に取り付けられている。
また、実施の形態３の作業台２は、バキュームマウス１０の固定部材１８が係合する係合部材２１を備えている。係合部材２１は、作業台２のうち手前側の端部に取り付けられている。
ここで、本実施の形態では、レール部材１４が第１移動手段および第２移動手段に相当する。
【００６７】
バキュームマウス１０の固定部材１８および作業台２の係合部材２１は、例えば一対の磁石等により構成される。なお、固定部材１８および係合部材２１は、互いに係合するものであれば、磁石に限られるものではなく、例えば係合部材２１に対して固定部材１８を引っ掛けて固定する構成を採用してもよい。
【００６８】
収納状態のバキュームマウス１０では、図１２に示すように、レール部材１４が奥行き方向に沿った状態となっている。
バキュームマウス１０を収納状態から引き出し状態に切り替える際には、実施の形態１と同様に、取っ手１０２を把持し、図１２にて破線矢印で示すように、手前側に引く。これにより、支持部材１２のレール移動部１２６が、レール部材１４を奥側から手前側に移動する。そして、支持部材１２に支持される吸引部材１１が、机本体部３（図１参照）から引き出されて、作業台２の手前側に露出する。
【００６９】
続いて、図１３にて破線矢印で示すように、取っ手１０２を上方に引き上げる。これにより、図１３にて実線矢印で示すように、レール部材１４が、支点１４ａを中心として図中時計方向に回動するとともに、レール部材１４に沿って延びる支持部材１２の延伸部１２３が、図中時計方向に回動する。そして、図１３に示すように、支持部材１２に支持される吸引部材１１が上方に移動するとともに、吸引部材１１の吸い込み口１１１が作業台２を向くように角度が変化する。
【００７０】
次いで、取っ手１０２を把持して操作することで、バキュームマウス１０の固定部材１８を、作業台２の係合部材２１に係合させる。これにより、吸引部材１１の吸い込み口１１１が作業台２に対向した状態で、バキュームマウス１０の姿勢が固定される。この結果、バキュームマウス１０が、机本体部３（図１参照）から引き出された引き出し状態となる。
【００７１】
本実施の形態のバキュームマウス１０を引き出し状態から収納状態へ切り替える際には、上述したバキュームマウス１０を収納状態から引き出し状態へ切り替える際の動作を逆の順序で行えばよい。
具体的に説明すると、取っ手１０２を把持して手前に引き、バキュームマウス１０の固定部材１８を、作業台２の係合部材２１から取り外す。続いて、取っ手１０２を把持して下方へ押し下げる。これにより、図１３に示すように、レール部材１４が、支点１４ａを支点として図中反時計方向に回動するとともに、レール部材１４に沿って延びる支持部材１２の延伸部１２３が、図中反時計方向に回動する。そして、図１３にて破線で示すように、支持部材１２に支持される吸引部材１１が、作業台２から下方へずれた位置に移動する。
【００７２】
続いて、取っ手１０２を把持しながら歯科技工机１の奥側へ押し込む。これにより、レール移動部１２６がレール部材１４の手前側の端部から奥行き方向に沿って移動する。これにより、吸引部材１１が作業台２の下方に収納される。そして、図１２に示すように、吸引部材１１、支持部材１２およびレール部材１４が前板１０１に被覆された収納状態となる。
【００７３】
以上、実施の形態１〜実施の形態３にて説明したように、本発明が適用される歯科技工机１は、バキュームマウス１０の状態を、机本体部３に収納された収納状態と、机本体部３から引き出された引き出し状態とに切り替えることが可能に構成されている。また、本発明が適用される歯科技工机１は、バキュームマウス１０に取っ手１０２を設けることで、取っ手１０２を把持して操作することによりバキュームマウス１０の収納状態と引き出し状態とを容易に切り替えることができる。
【００７４】
なお、上記実施の形態では、取っ手１０２として、前板１０１から突出する形状のものを例に説明したが、取っ手１０２は、ユーザがバキュームマウス１０を引き出す操作や押し込む操作を行うことが可能であれば、その形状は特に限定されるものではない。
また、上記実施の形態では、歯科用材料の切削等の歯科技工に用いられる歯科技工机１について説明したが、本発明が適用されるバキュームマウス１０は、歯科技工用に限られず、切削・研磨作業等の粉塵が生じる作業を行う他の作業机に対しても同様に適用することができる。
【００７５】
以下、参考として、本発明が適用される歯科技工机１を図１４および図１５に示す。図１４（ａ）は、歯科技工机１の正面図であり、図１４（ｂ）は、歯科技工机１の背面図である。また、図１５（ａ）は、歯科技工机１の平面図であり、図１５（ｂ）は、歯科技工机１の左側面図であり、図１５（ｃ）は、歯科技工机１の右側面図である。
なお、歯科技工机１は、床面に配置されて使用され、歯科技工机１の底面については通常の使用状態では視認できないため、ここではその記載は省略している。また、図１４（ａ）〜（ｂ）および図１５（ａ）〜（ｃ）では、バキュームマウス１０が机本体部３から引き出された引き出し状態の歯科技工机１を示している。さらに、図１４（ａ）〜（ｂ）および図１５（ａ）〜（ｃ）では、防塵板１０３、ハンドピース４、制御部５、フットコントローラ６を取り外した状態の歯科技工机１を示している。
【符号の説明】
【００７６】
１…歯科技工机、２…作業台、１０…バキュームマウス、１１…吸引部材、１２…支持部材、１３…案内部材、１４…レール部材、１３１…切欠き、１０１…前板、１０２…取っ手、１０３…防塵板、１０５…ホース、１２２…突き当て部材、１２５…ホース保持部材
【図１】
2017087356.tif 000003
【図２】
2017087356.tif 000004
【図３】
2017087356.tif 000005
【図４】
2017087356.tif 000006
【図５】
2017087356.tif 000007
【図６】
2017087356.tif 000008
【図７】
2017087356.tif 000009
【図８】
2017087356.tif 000010
【図９】
2017087356.tif 000011
【図１０】
2017087356.tif 000012
【図１１】
2017087356.tif 000013
【図１２】
2017087356.tif 000014
【図１３】
2017087356.tif 000015
【図１４】
2017087356.tif 000016
【図１５】
2017087356.tif 000017